(57)【要約】      （修正有）【課題】簡単な作業で設置でき、低コストで製造できる節水効果が大きい。  【解決手段】水道栓本体２０の内部に、開栓調節リング８をパッキン１０の下の位置でベン軸９の上部に設置して、開栓幅１３を調節することで水量を予め制限出来る構造とする。また同時に、自在性パイプ１７の流路内に節水部品１６を設置することで、予め開栓幅１３を制限して水量を制限しながら、二段階的に節水部品１６でも水量を制限できる一体構造として節水型水道栓の構造とする。【選択図】なし【実用新案登録請求の範囲】
本考案は、従来の水道栓蛇口本体（２０）に、バルブ（１１）パッキン（１０）の下の位置で、ベン軸（９）の上部の位置に開栓調節リング（８）をはめ込み、開栓幅（１３）を調節できる構造とし、更には、水道蛇口の先に取り付けた自在性パイプ（１７）の入り口付近に、二つの円錐室が孔口を中心に連通した内部構造を持つ円筒型の節水部品（１６）を設置することで一体型の節水型水道栓とすること。
【考案の詳細な説明】
【考案のの名称】
節水型水道栓
【技術分野】
【０００１】本考案は、給水管設備における水道栓開栓時の開栓調節リングと、給水栓部分の自在性パイプの流路内に設けらる水量を調節する節水部品を同時に設置した節水型水道栓に関する。
【背景技術】
【０００２】従来の水道栓開栓調節の部品に関する公開文献は発見できない。また、節水部品と同時に設置した事例に関する公開文献も発見できない。
特許文献１、２はより近い特許と考えられるもので参照のため記載。
従来の節水器に関しては、ダム室とスカート室を施したものがある。例えば、特許文献２参照  従来の節水器は、流水方向を一定方向のみの対応である。また、それのみの設置で節水効果を得るものである。
【特許文献１】  特開平第３００８７８５号公報
【特許文献２】  特開平第１１−２２６４３１
【考案の開示】
【考案が解決しようとする課題】
【０００３】従来の節水コマや節水器なる流量を押さえる器具は、水道栓を開く大きさによって節水効果は半減してしまう場合もあり、節水コマ・節水器のみでは節約効果が一定に保てないなどの不具合がある。しかも、うめ込み式も設置できない場合もある。例えば、水道栓が一体型の給水栓の吐水口に自在吐水パイプがついていない場合などもあり、このような場合節水器の設置ができない。このような課題を本考案は解決したいと考えました。
【課題を解決するための手段】
【０００４】本考案による課題解決は、従来の水道栓蛇口本体に（２０）に、バルブ（１１）パッキン（１０）の下の位置で、ベン軸（９）の上部の位置に開栓調節リング（８）をはめ込み、開栓幅（１３）を調節できる構造とし、更には、水道蛇口の先に取り付けた自在性パイプ（１７）の入り口付近に、二つの円錐室が孔口を中心に連通した内部構造を持つ円筒型の節水部品（１６）を設置することにより、二段階で水量を制限できる節水型水道栓とする。節水部品と開栓調節リングを同時に設置することで一体型の節水型水道栓とすることが最良の解決手段となる。こうすることで安定的節水効果を得ることができる。【０００５】節水部品の構造は、水量をせき止めるダム室を円錐室とし、孔口に連通した片方のスカート室も末広がりの形状の円錐室とした内部構造を持つ円筒型で、水道栓開栓調節リングで、予め削減された水量のため、ジェット噴流を高めるためにダム室を円錐室とし連通した孔口に集中させる構造とした。場合によっては部品として利用も可能で、逆向けに設置した場合でも同じ効果が得られるよう二つの円錐構造を持つ構造とした。全体形状は円筒型で側面を均一に長くすることで密封性を高める構造とした。また、孔口の直径は小さいほど節水効果は高いものの、小さ過ぎると水きり音が発生するので最適の直径にすることで水きり音を抑え静寂性も高い。
節水器具のダム室は円錐型でも充分にせき止め効果が得られ、連通した孔口から円錐スカート室への単純な構造で、吐水感覚もスカート室により拡散され、つけない時の流量感覚を得ながら、材質的にも高品質のステンレスで充分と考えられ加工性もより良い。【０００６】開栓調節リングは、従来の水道栓の内部に軸の上部に設置して、その幅（高さ）によって開栓が制限できる。
従来の水道栓の全開幅では、使う人によっては水の使用量が大きく変り、この開栓調節リングの幅（高さ）を変えることで、予め全開栓幅を半分とか１／３に調節も可能である。開栓調節リングは、樹脂や真鍮やステンレスの円筒を切断加工した輪切り状の単純な構造なので加工性も良い。これらは、低コストで従来ある水道栓に同時に設置するだけで節水効果が得られ、また、予め設置した節水型水道栓として、新たな節水型水道栓として製造も可能である。
【考案の効果】
【０００７】本考案の節水型水道栓は、節水部品は自在吐水パイプにはめ込み、開栓調節リングも水道栓内部の軸の上部にはめ込む簡単な作業で給水栓に設置でき、同時に設置することで従来型の水道栓を節水型として改良できる。この改良で新たな節水型水道栓としても製造できる。
これら二つの部品を備える水道栓とすることで、開栓幅を制限して水量を予め削減して、二段階的に節水部品でも節水効果を得るため、より安定した節水効果を得ることができる。
従来の一体型の自在性吐水パイプが無い水道栓の場合は節水器具の設置ができないので、そのような場合、開栓調節リングを部品として設置しても、開栓幅を予め制限できるため節水効果が得られる。低コストで部品としての提供もでき、より安定的に節水効果を得ることも可能となるなど水を使うあらゆる施設や、一般家庭でも節水型水道栓として利用できる。
【考案を実施するための最良の形態】
【実施例】本考案の参照図を用意て、一実施形態を説明する。【０００８】図１、図２は、従来の水道栓の断面図で、閉じた状態と開いた状態を示している。
図３、図４は、本考案の節水型水道栓とする構造とするために、最良の形態とする部品を設置した水道栓の断面図で、閉じた状態と開いた状態をそれぞれ示している。
図５は、本考案を実施するために必要な部品の節水部品の断面図と斜視図。
図６は、本考案を実施するために必要な部品の開栓調節リングの断面図と斜視図。【０００９】本考案に関する節水部品の設置の仕方。
参照図４を参考に、バルブ（１５）をはずし自在吐水パイプ（１７）の流路内に節水部品（１６）を設置してパッキン（１４）と自在性パイプ（１７）に、図５節水部品の止ガネ（４）をはさみ固定し、バルブ（１５）によって締め付けて固定設置する。【００１０】本考案の開栓調節リング設置の手順は、図４、従来の水道栓上部のねじ（６）を取り外し、ハンドル（７）を取り外す。次にバルブ（１１）を緩め取り外すとパッキン（１０）も取り外すことができる。後は水道栓の軸（９）の上部に輪切り状の開栓調節リング（８）を上部よりはめ込み、取り外した手順の逆に取り付ければ設置可能である。
よって、図４のように開栓した時、開栓調節リング（８）を設置することで全開栓幅（１３）を制限することができる。付けていない状態図、図２の開栓幅と明らかに違う。よって水量を制限できる。【００１１】本例の開栓調節リングは、図６、調節リング本体（５）の幅（高さ）を変えることで、図４の全開栓幅（１３）を従来の全開栓幅の半分とか１／３などの全開栓幅（１３）を調節できる。図４のように同時に設置することで、節水型水道栓としての機能が増し、安定的節水効果を得る。【００１２】実験的に自宅や数ヶ所の協力者宅、協力事業施設に設置（１５％〜２４％）の削減率を確認した。
【産業上の利用可能性】
【００１３】水道の水の経費を削減することに、大いに利用の可能性が大きい従来の水道栓を変えることなく設置することもできる。その場合、低コストで水量や水道料金の削減効果を得ることが期待できる。また、開栓調節リングと節水器具を予め備えた、従来型の水道栓を新たな節水形水道栓として製造することも可能である。水を使う至るところの施設の水道設置個所に設置をすることができる。限りある水資源の大いなる節約につながるもので、産業上活用されるべきものである。
【図面の簡単な説明】
【００１４】
【図１】  従来の水道栓の閉じた状態の断面図。
【図２】  従来の水道栓の開いた状態の断面図。
【図３】  本考案を水道栓に設置した閉じた状態の断面図。
【図４】  本考案を水道栓に設置した開いた状態の断面図。
【図５】  部品の節水部品の断面図と斜視図。
【図６】  部品の開栓調節リングの断面図と斜視図。
【符号の説明】
【００１５】  １．円錐室              １１．バルブ
２．円錐室              １２．止水栓パッキン
３．孔口                １３．開栓幅
４．止め金              １４．パッキン
５．リングの幅          １５．バルブ
６．ねじ                １６．節水部品
７．ハンドル            １７．自在性パイプ
８．開栓調節リング      １８．流水方向
９．ベン軸              １９．流水方向
１０．パッキン            ２０．水道栓蛇口本体
【図１】
0003111359.tif 000002
【図２】
0003111359.tif 000003
【図３】
0003111359.tif 000004
【図４】
0003111359.tif 000005
【図５】
0003111359.tif 000006
【図６】
0003111359.tif 000007
【手続補正書】
【提出日】平成17年1月11日(2005.1.11)
【手続補正１】
【補正対象書類名】実用新案登録請求の範囲
【補正対象項目名】全文
【補正方法】変更
【補正の内容】
【実用新案登録請求の範囲】
【請求項１】
本考案は、水道栓蛇口本体（２０）の構造内に、バルブ（１１）、パッキン（１０）の下位で、ベン軸（９）の上部に開栓調節リング（８）をはめ込み設置して開栓幅（１３）を調節できる構造とし、更には水道蛇口本体（２０）の先に取りつけた自在性パイプ（１７）の流路内に、二つの円錐室が孔口を中心に連通した内部構造を持つ円筒型の節水部品（１６）を設置することで、開栓幅（１３）の制限された水量で、最終的に節水部品を通って吐水され二段階で水量を制限できる特徴を持った構造とした水道栓。